(57)【要約】      （修正有）【課題】表面が損傷を受けにくく、軽量で、文言、挿絵、写真の描写の用紙が繰り返し使用でき視覚感覚が強く、安全、防災の“見える化”の実行が可能である危険予知活動表板を提供する。【解決手段】紙、樹脂フイルムなどの薄肉質素材の表裏の両面に従来にない、文字、挿絵、写真を描写した表示板を透明材質樹脂で形成されたケースに入れることを特徴とする危険予知活動表示板である。また、危険予知活動表示板の軽量化（例１、Ａ４サイズ：８０ｇ、例２、Ａ３サイズ：１６０ｇ）を図り、工事現場での取り扱いを容易にし、運搬、掲示などの作業が安全に行えることを特徴とする危険予知活動表示板である。【選択図】図１
0003123016.tif 000002
【実用新案登録請求の範囲】
【請求項１】
文字、挿絵、写真を表裏の両面に描写した紙、樹脂フイルムなどの薄肉質素材を透明材質樹脂（塩ビ、プロピレン、アクリル、エチレンなどの透明樹脂）で形成されたケースに入れることを特徴とする危険予知活動表示板。
【請求項２】
前記挿絵、写真は、各種の危険予知の現象のもの及びそれらの対策の安全保護具、例えば安全帯、マスク類、手袋、眼鏡、ゴーグル、耳栓、面体、安全靴、ヘルメット、保護服など、また、防消火設備、機器設備などの単独、およびこれらの組み合わせにより、安全・防災の“見える化”で危険予知が高度化することを特徴とする請求項１記載の危険予知表示板。
【請求項３】
文字、挿絵、写真を表裏の両面に描写した紙、樹脂フイルムなどの薄肉質素材を上記透明材質樹脂で形成されたケースに入れることにより、水性マーカーでケースの上から表示板に危険予知に必要な文字・絵を追加記入できることを特徴とする請求項１記載の危険予知活動表示板。
【請求項４】
文字、挿絵、写真を表裏の両面に描写した紙、樹脂フイルムなどの薄肉質素材を上記透明材質樹脂で形成されたケースに入れることにより、水性マーカーでケースの上から文字を追加記入しても表示板は直接、損傷されることがないため、繰り返し使用することが出来ることを特徴とする請求項１記載の危険予知活動表示板。
【考案の詳細な説明】
【技術分野】
【０００１】  この実用新案は、危険予知活動表示板の表面の形状に関する。
【背景技術】
【０００２】  従来の危険予知活動表示板の表面の形状は、図−３に示すように、表面が紙、ホワイトボード、アルミ板などである。
【実用新案の開示】
【実用新案が解決しようとする課題】
【０００３】しかしながら、以上の技術によれば、▲１▼危険予知活動の表示が表示板の表面に文言のみであり、視覚感覚の表現が弱い▲２▼表面が損傷を受け易く、活動表示・区分線などが消失し易いが一方、その損傷で生じた表面の凹部は文言などが消しにくく、表面が汚れる。▲３▼このため、紙質材料などは繰り返しが効かなく使い捨てになる。▲４▼使用毎に文言の書き換えが必要である。▲５▼視覚感覚の強いカラフルな挿絵、写真が描写できない。▲６▼アルミ製などは大質量（例１。６００ｍｍ＊８６０ｍｍ板：４．８ｋｇ、例２。４５０ｍｍ＊６００ｍｍ板：２．３ｋｇ）であり、特に階段及び工事現場での運搬、掲示時の取り扱いが不安全行為となるなど安全活動がしにくかった。そこで、この実用新案は表面が損傷を受けにくく、軽量で、文言、挿絵、写真の描写の用紙が繰り返し使用でき視覚感覚が強く、安全、防災の“見える化”の実行が可能である危険予知活動表板を提供することを課題とする。
【課題を解決するための手段】
【０００４】以上の課題を解決するために、第一実用新案は、紙、樹脂フイルムなどの薄肉質素材の表裏の両面に従来にない、文字、挿絵、写真を描写した紙、樹脂フイルムなどの薄肉質素材を透明材質樹脂で形成されたケースに入れることを特徴とする危険予知活動表示板である。
また、第二実用新案は、危険予知活動表示板の軽量化（例１、Ａ４サイズ：８０ｇ、例２、Ａ３サイズ：１６０ｇ）を図り、工事現場での取り扱いを容易にし、運搬、掲示などの作業が安全に行えることを特徴とする危険予知活動表示板である。
【実用新案の効果】
【０００５】  第一実用新案、または第二実用新案によれば、▲１▼危険予知の表示が視覚感覚が強くなる▲２▼表面が損傷を受けにくく、活動表示・区分線などが消失しない。▲３▼文言などが消し易く、きれいになる。▲３▼このため、紙質材料などは使い捨てにならない。▲４▼使用毎に文言の書き換えが必要でなくなり、視覚感覚の強いカラフルな挿絵、写真が描写できる。▲５▼軽量化で工事現場での運搬、掲示時の取り扱いなどの不安全行為がなくなる。▲６▼視覚感覚が強く安全、防災の“見える化”の実行が可能で、より危険予知活動の効果が上がることが期待される。
【実用新案を実施するための最良の形態】
【０００６】  この実用新案の一実施形態を、図−１、２に示す。
危険予知活動表示板本体▲１▼は紙、樹脂フイルムなどの薄肉質素材の表裏の両面に文字、挿絵、写真を描写した薄肉質素材▲３▼を透明材質樹脂（ＰＶＣ）で形成されたＡ４サイズのケース▲２▼に入れて一体化させたものである。
【０００７】「実施形態の効果」
この実施形態によれば、▲１▼危険予知の表示が視覚感覚が強くなる▲２▼表面が損傷を受けにくく、活動表示・区分線などが消失しない。▲３▼文言などが消し易く、きれいになる。▲３▼このため、紙質材料などは使い捨てにならない。▲４▼使用毎に文言の書き換えが必要でなくなり、視覚感覚の強いカラフルな挿絵、写真が描写できる。▲５▼軽量化で工事現場での運搬、掲示時の取り扱いなどの不安全行為がなくなる。▲６▼視覚感覚が強く安全、防災の“見える化”の実行が可能で、より危険予知活動の効果が上がることが期待される。
【０００８】「他の実施形態」
図−１、２の実施形態では、少人数用の小サイズのＡ４サイズ（２１０ｍｍ＊２９７ｍｍ）であったが、他の実施形態では、サイズは多人数用に合わせＡ４サイズ以上（Ｂ４、Ａ３以上）でも良い。
【図面の簡単な説明】
【０００９】
【図−１】この実用新案の一実施形態の表面を示す斜視図である。
【図−２】この実用新案の一実施形態の裏面を示す斜視図である。
【図−３】従来技術を示す斜視図である。
【符号の説明】
【００１０】  危険予知活動表示板本体▲１▼    透明樹脂製のケース▲２▼    薄肉質素材▲３▼
【図−１】
0003123016.tif 000003
【図−２】
0003123016.tif 000004
【図−３】
0003123016.tif 000005
【手続補正書】
【提出日】平成18年3月22日(2006.3.22)
【手続補正１】
【補正対象書類名】実用新案登録請求の範囲
【補正対象項目名】請求項１
【補正方法】変更
【補正の内容】
【請求項１】
文字、挿絵、写真を表裏の両面に描写した紙、樹脂フイルムなどの薄肉質素材を塩化ビニル、プロピレン、アクリル、エチレンなどの透明材質樹脂で形成されたケースに入れることを特徴とする危険予知活動表示板。
【手続補正２】
【補正対象書類名】実用新案登録請求の範囲
【補正対象項目名】請求項２
【補正方法】変更
【補正の内容】
【請求項２】
前記挿絵、写真は、各種の危険予知の現象のもの及びそれらの対策の安全保護具、例えば安全帯、マスク類、手袋、眼鏡、ゴーグル、耳栓、面体、安全靴、ヘルメット、保護服など、また、防消火設備、機器設備などの単独、およびこれらの組み合わせにより、安全・防災の危険予知が高度化することを特徴とする請求項１記載の危険予知表示板。
【手続補正３】
【補正対象書類名】明細書
【補正対象項目名】０００３
【補正方法】変更
【補正の内容】
【０００３】しかしながら、以上の技術によれば、▲１▼危険予知活動の表示が表示板の表面に文言のみであり、視覚感覚の表現が弱い▲２▼表面が損傷を受け易く、活動表示・区分線などが消失し易いが一方、その損傷で生じた表面の凹部は文言などが消しにくく、表面が汚れる。▲３▼このため、紙質材料などは繰り返しが効かなく使い捨てになる。▲４▼使用毎に文言の書き換えが必要である。▲５▼視覚感覚の強いカラフルな挿絵、写真が描写できない。▲６▼アルミ製などは大質量（例１。６００ｍｍ＊８６０ｍｍ板：４．８ｋｇ、例２。４５０ｍｍ＊６００ｍｍ板：２．３ｋｇ）であり、特に階段及び工事現場での運搬、掲示時の取り扱いが不安全行為となるなど安全活動がしにくかった。そこで、この実用新案は表面が損傷を受けにくく、軽量で、文言、挿絵、写真の描写の用紙が繰り返し使用でき視覚感覚が強く、安全、防災の危険予知活動表板を提供することを課題とする。
【手続補正４】
【補正対象書類名】明細書
【補正対象項目名】０００５
【補正方法】変更
【補正の内容】
【０００５】第一実用新案、または第二実用新案によれば、▲１▼危険予知の表示が視覚感覚が強くなる▲２▼表面が損傷を受けにくく、活動表示・区分線などが消失しない。▲３▼文言などが消し易く、きれいになる。▲３▼このため、紙質材料などは使い捨てにならない。▲４▼使用毎に文言の書き換えが必要でなくなり、視覚感覚の強いカラフルな挿絵、写真が描写できる。▲５▼軽量化で工事現場での運搬、掲示時の取り扱いなどの不安全行為がなくなる。▲６▼視覚感覚が強く安全、防災の危険予知活動の効果が上がることが期待される。
【手続補正５】
【補正対象書類名】明細書
【補正対象項目名】０００７
【補正方法】変更
【補正の内容】
【０００７】「実施形態の効果」
この実施形態によれば、▲１▼危険予知の表示が視覚感覚が強くなる▲２▼表面が損傷を受けにくく、活動表示・区分線などが消失しない。▲３▼文言などが消し易く、きれいになる。▲３▼このため、紙質材料などは使い捨てにならない。▲４▼使用毎に文言の書き換えが必要でなくなり、視覚感覚の強いカラフルな挿絵、写真が描写できる。▲５▼軽量化で工事現場での運搬、掲示時の取り扱いなどの不安全行為がなくなる。▲６▼視覚感覚が強く安全、防災の危険予知活動の効果が上がることが期待される。
【手続補正６】
【補正対象書類名】図面
【補正対象項目名】図１
【補正方法】変更
【補正の内容】
【図１】
0003123016.tif 000006
【手続補正７】
【補正対象書類名】図面
【補正対象項目名】図３
【補正方法】変更
【補正の内容】
【図３】
0003123016.tif 000007